(57)【特許請求の範囲】
【請求項１】
複数の提供場所で利用者が取引対象を選択し、利用者が選択した取引対象を精算場所でまとめて精算する精算システムであって、
前記提供場所ごとに設置された提供場所用装置と、前記精算場所に設置された精算場所用装置とを備え、
前記提供場所用装置は、利用者が所有する携帯物の記憶部に、利用者が選択した取引対象を識別する取引対象識別データまたは利用者が選択した取引対象の価格データのうち少なくとも一方を含む未精算データを書き込む書き込み手段を有し、
前記精算場所用装置は、
前記携帯物の記憶部から、前記未精算データを読み取るとともに、前記携帯物の記憶部に予め記憶された、利用者を特定する個人ＩＤまたは予め前払いしたプリペイドデータを含む精算用データを読み取る読み取り手段と、
前記読み取り手段で読み取った、前記未精算データおよび前記精算用データを基に、利用者が選択した取引対象の精算を行う精算手段と、
を有し、
前記提供場所用装置から前記精算場所用装置へ前記未精算データを送信することなく精算を行うようにしたことを特徴とする精算システム。
【請求項２】
前記取引対象は、料理であり、
前記提供場所は、社員食堂の料理提供場所であり、
前記携帯物は、前記個人ＩＤを記憶した社員証、または、前記プリペイドデータを記憶したプリペイドカードであることを特徴とする請求項１に記載の精算システム。
【請求項３】
前記提供場所用装置は、
前記携帯物の記憶部から、前記未精算データおよび前記プリペイドデータを読み取る読み取り手段と、
前記プリペイドデータを基に特定されるプリペイド残高と、前記未精算データを基に特定される未精算の取引対象の価格の合計額とを比較する判断手段と、
前記提供場所用装置の前記判断手段によって、前記未精算の取引対象の価格の合計額が前記プリペイド残高を超えていると判断された場合に、前記未精算の取引対象の価格の合計額が前記プリペイド残高を超えている旨を通知する通知手段と、
を有していることを特徴とする請求項１または請求項２に記載の精算システム。
【請求項４】
前記精算場所用装置は、前記携帯物が、前記個人ＩＤまたは前記プリペイドデータのいずれを記憶するものであるかを判断する判断手段を有していることを特徴とする請求項１乃至請求項３のいずれか１項に記載の精算システム。
【請求項５】
前記精算場所用装置は、前記精算手段による精算内容を表示する表示手段を有していることを特徴とする請求項１乃至請求項４のいずれか１項に記載の精算システム。
【請求項６】
前記提供場所用装置の前記書き込み手段は、前記携帯物の記憶部に非接触でデータを書き込む非接触ＩＣライタであり、
前記精算場所用装置の前記読み取り手段は、前記携帯物の記憶部から非接触でデータを読み込む非接触ＩＣリーダであることを特徴とする請求項１乃至請求項５のいずれか１項に記載の精算システム。
【請求項７】
前記精算場所用装置の前記精算手段は、前記プリペイドデータを基に特定されるプリペイド残高から、前記未精算データを基に特定される未精算の取引対象の価格の合計額を差し引いた金額を算出し、
前記精算場所用装置は、前記精算場所用装置の前記精算手段による算出結果を、前記携帯物の記憶部に書き込む書き込み手段を有していることを特徴とする請求項１乃至請求項６のいずれか１項に記載の精算システム。
【請求項８】
複数の提供場所で利用者が取引対象を選択し、利用者が選択した取引対象を精算場所でまとめて精算する精算方法であって、
前記提供場所ごとに設置された提供場所用装置によって、利用者が所有する携帯物の記憶部に、利用者が選択した取引対象を識別する取引対象識別データまたは利用者が選択した取引対象の価格データのうち少なくとも一方を含む未精算データを書き込み、
前記精算場所に設置された精算場所用装置によって、前記携帯物の記憶部から、前記未精算データを読み取るとともに、前記携帯物の記憶部に予め記憶された、利用者を特定する個人ＩＤまたは予め前払いしたプリペイドデータを含む精算用データを読み取り、読み取った前記未精算データおよび前記精算用データを基に、前記提供場所用装置から前記精算場所用装置へ前記未精算データを送信することなく、利用者が選択した取引対象の精算を行うことを特徴とする精算方法。
【発明の詳細な説明】
【技術分野】
【０００１】
本発明は、複数の提供場所で利用者が取引対象を選択し、利用者が選択した取引対象を精算場所でまとめて精算する精算システムおよび精算方法に関する。
【背景技術】
【０００２】
従来、複数の提供場所で利用者が取引対象を選択し、利用者が選択した取引対象を精算場所でまとめて精算する一括精算方式が知られている。
【０００３】
この一括精算方式における精算は、利用者が取引対象を選択し終えた後、精算場所でオペレータが目視確認して精算する方法や、取引対象を自動識別してセルフで精算する方法がある。
【０００４】
セルフ精算の場合、取引対象を特定するために取引対象を載せる皿等に非接触ＩＣタグを貼り付け、非接触タグリーダ装置に取引対象を載せる皿等を載せて取引対象を自動識別する方法や、カメラ画像により取引対象を自動識別する方法がある。
【０００５】
前者の非接触タグリーダ装置を用いた方法では、全ての皿等に非接触ＩＣタグを貼り付ける必要があるとともに、非接触タグリーダ装置を必要とするため、実現するためには多額のシステム導入費用が掛かるという問題がある。
【０００６】
また、後者のカメラ画像を用いた方法についても、画像認識装置が必要であり、複雑な画像処理も必要であるため、やはり多額のシステム導入費用が掛かるという問題がある。
【０００７】
また、一括精算方式ではなく、利用者が所持するＩＤカードやプリペイドカード等を用いて取引対象の提供場所ごとに精算する方法も考えられるが、提供場所ごとに各々の精算が発生するため、精算データが膨大となり、上位装置へのデータ量が増加する問題がある。
【０００８】
ここで、上述したような問題を解決する従来技術として、商品を載せるトレイにデータ書き込み可能な記録手段を装着し、利用者が商品陳列台から商品を受け取るたびに商品の価格情報を記録手段に書き込んでいき、精算場所で記録手段に記録されている価格情報を読み出すことで、トレイ上の商品の合計金額を精算処理する自動精算システムが知られている（特許文献１参照。）。
【先行技術文献】
【特許文献】
【０００９】
【特許文献１】特開２００４−２１４１２号公報
【発明の概要】
【発明が解決しようとする課題】
【００１０】
ところが、特許文献１の自動精算システムでは、商品の精算時に、トレイに装着された記憶手段から商品の価格情報を読み出す作業とは別途に、利用者が所持するプリペイドカードやクレジットカードを読み取る作業等の精算のための作業を必要とするため、精算作業に係る作業効率が悪いという問題があった。
【００１１】
また、特許文献１の自動精算システムでは、記憶手段がトレイに装着されているため、記憶手段に価格情報の記憶以外の役割を併せて持たせることが難しい上、記憶手段をトレイの数量と同数だけ必要とするため、システム導入費用が高くなってしまうという問題があった。
【００１２】
そこで、本発明は、従来の問題を解決するものであって、すなわち、本発明の目的は、精算作業に係る作業効率を向上するとともに、システム導入費用を低減する精算システムおよび精算方法を提供することである。
【課題を解決するための手段】
【００１３】
本発明の精算システムは、複数の提供場所で利用者が取引対象を選択し、利用者が選択した取引対象を精算場所でまとめて精算する精算システムであって、前記提供場所ごとに設置された提供場所用装置と、前記精算場所に設置された精算場所用装置とを備え、前記提供場所用装置は、利用者が所有する携帯物の記憶部に、利用者が選択した取引対象を識別する取引対象識別データまたは利用者が選択した取引対象の価格データのうち少なくとも一方を含む未精算データを書き込む書き込み手段を有し、前記精算場所用装置は、前記携帯物の記憶部から、前記未精算データを読み取るとともに、前記携帯物の記憶部に予め記憶された、利用者を特定する個人ＩＤまたは予め前払いしたプリペイドデータを含む精算用データを読み取る読み取り手段と、前記読み取り手段で読み取った、前記未精算データおよび前記精算用データを基に、利用者が選択した取引対象の精算を行う精算手段とを有し、前記提供場所用装置から前記精算場所用装置へ前記未精算データを送信することなく精算を行うようにしたことにより、前述した課題を解決したものである。
【００１４】
本発明の精算方法は、複数の提供場所で利用者が取引対象を選択し、利用者が選択した取引対象を精算場所でまとめて精算する精算方法であって、前記提供場所ごとに設置された提供場所用装置によって、利用者が所有する携帯物の記憶部に、利用者が選択した取引対象を識別する取引対象識別データまたは利用者が選択した取引対象の価格データのうち少なくとも一方を含む未精算データを書き込み、前記精算場所に設置された精算場所用装置によって、前記携帯物の記憶部から、前記未精算データを読み取るとともに、前記携帯物の記憶部に予め記憶された、利用者を特定する個人ＩＤまたは予め前払いしたプリペイドデータを含む精算用データを読み取り、読み取った前記未精算データおよび前記精算用データを基に、前記提供場所用装置から前記精算場所用装置へ前記未精算データを送信することなく、利用者が選択した取引対象の精算を行うことにより、前述した課題を解決したものである。
【発明の効果】
【００１５】
本発明では、精算場所において、未精算データの読み取りと同時に、精算に必要とされる個人ＩＤまたはプリペイドデータを含む精算用データをまとめて読み取り、読み取った未精算データおよび精算用データに基づいて取引対象の精算を行うことが可能であるため、精算作業に係る作業効率を向上できる。
【００１６】
また、取引対象の未精算データを記憶させる記憶媒体として、未精算データの記憶以外の役割を併せて持たせることが容易な、利用者が所有する各種ＩＤカードやプリペイドカードや携帯電話等の携帯物を利用するため、未精算データを記憶する役割のみを担う記憶媒体を必要とせず、システム導入費用を低減できる。
【００１７】
また、取引対象の未精算データを記憶させる記憶媒体として、利用者が所有する携帯物を利用することにより、精算に必要とされる個人ＩＤまたはプリペイドデータを含む精算用データを記憶媒体に記憶させておくことが可能になる。
【図面の簡単な説明】
【００１８】
【図１】本発明の精算システムの構成を示す概略図である。
【図２】提供場所用装置（提供場所用リーダライタ装置）の構成を概略的に示す説明図である。
【図３】精算場所用装置（ＰＯＳ端末および精算場所用リーダライタ装置）の構成を概略的に示す説明図である。
【図４】社員証カードおよびプリペイドカードのデータ構成を示す説明図である。
【図５】提供場所用リーダライタ装置の処理フローを示すフローチャート図である。
【図６】精算場所用リーダライタ装置の処理フローを示すフローチャート図である。
【発明を実施するための形態】
【００１９】
以下、本発明の精算システムの実施形態を図面に基づいて説明する。
【実施例】
【００２０】
本発明の第１実施形態である精算システムは、複数の提供場所で利用者が所望の取引対象を選択し、利用者が選択した取引対象を精算場所でまとめて精算するものである。
【００２１】
以下に説明する第１実施形態では、精算システムの設置場所が社員やアルバイト等の期間協力社員が利用する社員食堂であり、取引対象が料理であり、提供場所が料理提供場所であり、利用者が所有する携帯物が非接触ＩＣカードである社員証カードまたはプリペイドカードであるものとして説明する。
【００２２】
精算システムは、図１に示すように、複数の料理提供場所ごとに設置された提供場所用リーダライタ装置１０と、精算場所に設置されたＰＯＳ端末２０と、精算場所に設置されＰＯＳ端末２０に接続された精算場所用リーダライタ装置３０とを備えている。
【００２３】
提供場所用リーダライタ装置１０は、提供場所用装置を構成し、ＰＯＳ端末２０と精算場所用リーダライタ装置３０とは、精算場所用装置を構成する。
【００２４】
提供場所用リーダライタ装置１０とＰＯＳ端末２０とは、図１（ａ）に示すように、有線ＬＡＮで接続されている。なお、提供場所用リーダライタ装置１０とＰＯＳ端末２０とは、無線ＬＡＮや他の通信線で接続されていてもよい。また、提供場所用リーダライタ装置１０とＰＯＳ端末２０とは、図１（ｂ）に示すように、接続されていなくてもよい。
【００２５】
提供場所用リーダライタ装置１０は、図２に示すように、社員証カードまたはプリペイドカードのＩＣチップに非接触でデータを書き込むとともにＩＣチップからデータを非接触で読み出す非接触式のＩＣリーダライタ部１１と、料理名や料理の価格等の各種情報を表示するための表示部１２と、時計部１３と、電源部１４と、ＬＡＮ接続部１５と、記憶部１６と、各部を制御する制御部１７とを有している。
【００２６】
ＩＣリーダライタ部１１は、非接触ＩＣカードインターフェースと非接触ＩＣアンテナ部とから構成される。表示部１２は、ディスプレイ等から構成される。ＬＡＮ接続部１５は、ＬＡＮインターフェースとＬＡＮコネクタとから構成される。記憶部１６は、ＲＯＭ、ＲＡＭ等から構成される。制御部１７は、ＣＰＵ等から構成される。
【００２７】
提供場所用リーダライタ装置１０の制御部１７は、以下に説明する各種判断を行う判断部１７ａを有している。
【００２８】
なお、提供場所用リーダライタ装置１０とＰＯＳ端末２０とが接続されていない図１（ｂ）に示すシステムの場合、ＬＡＮ接続部１５は不要であり、替わりに、外部よりプログラムやデータを入力するための手段（近距離無線通信や有線通信等、図示しない）を備える。
【００２９】
ＰＯＳ端末２０は、精算金額を給与から天引きするための処理システム（図示しない）と接続されており、精算金額を給与から天引きするための処理システム（図示しない）に精算情報（利用者の個人ＩＤと精算金額）を送信する。
【００３０】
ＰＯＳ端末２０は、図３に示すように、入力部２１と、精算内容の詳細等の各種情報を表示するための表示部２２と、時計部２３と、電源部２４と、ＬＡＮ接続部２５と、記憶部２６と、各部を制御する制御部２７と、接続部２８とを有している。
【００３１】
入力部２１は、キーボードやタッチパネル等から構成される。表示部２２は、ディスプレイ等から構成される。ＬＡＮ接続部２５は、ＬＡＮインターフェースとＬＡＮコネクタとから構成される。記憶部２６は、ＲＯＭ、ＲＡＭ等から構成される。制御部２７は、ＣＰＵ等から構成される。接続部２８は、ＵＳＢ等から構成される。
【００３２】
ＰＯＳ端末２０の制御部２７は、後述する精算場所用リーダライタ装置３０の精算部３７ｂと協働して、精算場所用リーダライタ装置３０のＩＣリーダライタ部３１によって非接触ＩＣカード（社員証カードまたはプリペイドカード）から読み取った、後述する未精算料理データ（未精算データ）および個人ＩＤまたはプリペイドデータを基に、料理の精算のための処理を行う精算部２７ａを有している。
【００３３】
精算場所用リーダライタ装置３０は、制御プログラム以外については、提供場所用リーダライタ装置１０と同様に構成されているため、その構成に関する説明を省略する。なお、図２および図３に示すように、精算場所用リーダライタ装置３０の各部には、提供場所用リーダライタ装置１０の各部の参照符号に２０を加えた参照符号を付している。
【００３４】
精算場所用リーダライタ装置３０の制御部３７は、ＰＯＳ端末２０の精算部２７ａと協働して、精算場所用リーダライタ装置３０のＩＣリーダライタ部３１によって非接触ＩＣカード（社員証カードまたはプリペイドカード）から読み取った、後述する未精算料理データ（未精算データ）および個人ＩＤまたはプリペイドデータを基に、精算のための処理を行う精算部３７ｂを有している。
【００３５】
社員証カードには、ＩＣチップが内蔵されている。図４（ａ）は、社員証カードのＩＣチップの記憶領域の一例を示す図である。社員証カードのＩＣチップの記憶領域には、会社コードの記憶領域、個人ＩＤの記憶領域、未精算料理データ（未精算データ）の記憶領域、精算済み料理データの記憶領域が設けられている。未精算料理データおよび精算済み料理データには、料理コード（取引対象識別データ）、未精算フラグ、日付、時刻が含まれている。精算済み料理データの記憶領域は、１００件以上の記録領域を確保し、領域が満杯になったら最古データから上書きするようにし、一定期間の履歴を残す。精算のために社員証カードを精算場所用リーダライタ装置３０のＩＣリーダライタ部３１に翳すと、未精算料理データの記憶領域のデータの２桁目が「１」→「０」に書き換えられて、精算済み料理データの記憶領域に移され、未精算料理データの記憶領域のデータは削除される。なお、精算済み料理データの記憶領域は、必ずしも必要ではない。
【００３６】
プリペイドカードには、ＩＣチップが内蔵されている。図４（ｂ）は、プリペイドカードのＩＣチップの記憶領域の一例を示す図である。プリペイドカードのＩＣチップの記憶領域には、カードＩＤの記憶領域、未精算料理データ（未精算データ）の記憶領域、精算済み料理データの記憶領域、プリペイドデータ（プリペイド残高、プリペイド決済履歴）の記憶領域が設けられている。未精算料理データの記憶領域、精算済み料理データの記憶領域については、社員証カードと同様であるため、説明を省略する。
【００３７】
つぎに、料理提供場所において、提供場所用リーダライタ装置１０で行われる処理フローを図５に基づいて、以下に説明する。
【００３８】
まず、料理提供場所において利用者が料理を取る際には、利用者は自らが所持する非接触ＩＣカード（社員証カードまたはプリペイドカード）を提供場所用リーダライタ装置１０のＩＣリーダライタ部１１に翳す。そして、提供場所用リーダライタ装置１０のＩＣリーダライタ部１１に非接触ＩＣカード（社員証カードまたはプリペイドカード）が翳されると、非接触ＩＣカードのデータを読み取り、提供場所用リーダライタ装置１０の判断部１７ａによって、非接触ＩＣカードのカード種別を判別する（ＳＴＥＰ１〜３）。
【００３９】
ここで、まず、ＳＴＥＰ３において、非接触ＩＣカードの種別が社員証カードと判別された場合のフローについて、以下に説明する。
【００４０】
まず、提供場所用リーダライタ装置１０の判断部１７ａによって、社員証カードのＩＣチップに記憶された会社コードが適正であるか判定する（ＳＴＥＰ４）。この際、適正でない場合は、エラーを提供場所用リーダライタ装置１０の表示部１２に表示してＳＴＥＰ１に戻る。また、適正である場合は、ＳＴＥＰ５に移る。ここで、提供場所用リーダライタ装置１０の記憶部１６には、予め、適正であると判定する会社コードを記憶しておく。
【００４１】
次に、提供場所用リーダライタ装置１０の判断部１７ａによって、社員証カードのＩＣチップに記憶された個人ＩＤが適正であるか判定する（ＳＴＥＰ５）。適正でない場合は、エラーを提供場所用リーダライタ装置１０の表示部１２に表示してＳＴＥＰ１に戻る。適正である場合は、ＳＴＥＰ７に移る。ここで、提供場所用リーダライタ装置１０の記憶部１６には、予め、適正であると判定する個人ＩＤを記憶しておく。
【００４２】
次に、提供場所用リーダライタ装置１０のＩＣリーダライタ部１１によって、社員証カードのＩＣチップに、未精算料理データとして、料理コード、未精算フラグ、日付、時刻を書き込み（ＳＴＥＰ７）、提供場所用リーダライタ装置１０の表示部１２にデータ書き込みが正常に行われたことを表示する（ＳＴＥＰ８）。その後、ＳＴＥＰ１に戻る。ここで、提供場所用リーダライタ装置１０の記憶部１６には、予め、料理コードを記憶しておく。
【００４３】
次に、ＳＴＥＰ３において、非接触ＩＣカードの種別がプリペイドカードと判別された場合のフローについて、以下に説明する。
【００４４】
まず、提供場所用リーダライタ装置１０の判断部１７ａによって、プリペイドカードのＩＣチップに記憶されたカードＩＤが適正であるか判定する（ＳＴＥＰ６）。適正でない場合は、エラーを提供場所用リーダライタ装置１０の表示部１２に表示してＳＴＥＰ１に戻る。適正である場合は、ＳＴＥＰ７に移る。ここで、提供場所用リーダライタ装置１０の記憶部１６には、予め、適正であると判定するカードＩＤを記憶しておく。
【００４５】
次に、提供場所用リーダライタ装置１０のＩＣリーダライタ部１１によって、プリペイドカードのＩＣチップに、未精算料理データとして、料理コード、未精算フラグ、日付、時刻を書き込み（ＳＴＥＰ７）、提供場所用リーダライタ装置１０の表示部１２にデータ書込みが正常に行われたことを表示する（ＳＴＥＰ８）。その後、ＳＴＥＰ１に戻る。ここで、提供場所用リーダライタ装置１０の記憶部１６には、予め、料理コードを記憶しておく。
【００４６】
なお、図５のＳＴＥＰ４〜６では、提供場所用リーダライタ装置１０とＰＯＳ端末２０とが接続された図１（ａ）に示すシステムの場合、ＰＯＳ端末２０の記憶部２６に、適正な会社コードと個人ＩＤとカードＩＤとを予め記憶させ、非接触ＩＣカード（社員証カードまたはプリペイドカード）のデータを読み取るたびに、提供場所用リーダライタ装置１０からＰＯＳ端末２０に問い合わせて判定を行うようにしてもよい。
【００４７】
つぎに、精算場所において、精算場所用リーダライタ装置３０で行われる処理フローを図６に基づいて、以下に説明する。
【００４８】
まず、精算場所用リーダライタ装置３０のＩＣリーダライタ部３１に非接触ＩＣカード（社員証カードまたはプリペイドカード）が翳されると、非接触ＩＣカードのデータを読み取り、精算場所用リーダライタ装置３０の判断部３７ａが非接触ＩＣカードのカード種別を判別する（ＳＴＥＰ１０１〜１０３）。
【００４９】
ここで、まず、ＳＴＥＰ１０３において、非接触ＩＣカードの種別が社員証カードと判別された場合のフローについて、以下に説明する。
【００５０】
まず、精算場所用リーダライタ装置３０の判断部３７ａによって、社員証カードのＩＣチップに記憶された会社コードが適正であるか判定する（ＳＴＥＰ１０４）。適正でない場合は、エラーを精算場所用リーダライタ装置３０の表示部３２に表示してＳＴＥＰ１０１に戻る。適正である場合は、ＳＴＥＰ１０５に移る。ここで、精算場所用リーダライタ装置３０の記憶部３６には、予め、適正であると判定する会社コードを記憶しておく。
【００５１】
次に、精算場所用リーダライタ装置３０の判断部３７ａによって、社員証カードのＩＣチップに記憶された個人ＩＤが適正であるか判定する（ＳＴＥＰ１０５）。適正でない場合は、エラーを精算場所用リーダライタ装置３０の表示部３２に表示してＳＴＥＰ１に戻る。適正である場合は、ＳＴＥＰ１０６に移る。ここで、精算場所用リーダライタ装置３０の記憶部３６には、予め、適正であると判定する個人ＩＤを記憶しておく。
【００５２】
次に、精算場所用リーダライタ装置３０のＩＣリーダライタ部３１によって、社員証カードのＩＣチップに記憶された未精算料理データを読み出して、未精算料理データをＰＯＳ端末２０に送信し（ＳＴＥＰ１０６）、ＰＯＳ端末２０から料理コードに対応する料理名と料理の価格を取得して、価格の合計額とともに精算場所用リーダライタ装置３０の表示部３２に表示する（ＳＴＥＰ１１０）。
【００５３】
その後、未精算料理データの記憶領域の未精算フラグを精算済みフラグに変え、精算場所用リーダライタ装置３０のＩＣリーダライタ部３１によって、社員証カードのＩＣチップの精算済み料理データの記憶領域に移して書き込み（ＳＴＥＰ１１１）、精算場所用リーダライタ装置３０の表示部３２に精算処理が正常に行われたことを表示する（ＳＴＥＰ１１２）。そして、ＳＴＥＰ１０１に戻る。
【００５４】
次に、ＳＴＥＰ３において、非接触ＩＣカードの種別がプリペイドカードと判別された場合のフローについて、以下に説明する。
【００５５】
まず、精算場所用リーダライタ装置３０の判断部３７ａによって、プリペイドカードのＩＣチップに記憶されたカードＩＤが適正であるか判定する（ＳＴＥＰ１０７）。適正でない場合は、エラーを精算場所用リーダライタ装置３０の表示部３２に表示してＳＴＥＰ１０１に戻る。適正である場合は、ＳＴＥＰ１０８に移る。ここで、精算場所用リーダライタ装置３０の記憶部３６には、予め、適正であると判定するカードＩＤを記憶しておく。
【００５６】
次に、精算場所用リーダライタ装置３０のＩＣリーダライタ部３１によって、プリペイドカードのＩＣチップに記憶された未精算料理データを読み出して、未精算料理データをＰＯＳ端末２０に送信し（ＳＴＥＰ１０８）、ＰＯＳ端末２０から料理コードに対応する料理名と価格を取得して、プリペイド残額から、未精算の料理の合計額を引き去り、プリペイド残額を変更し、プリペイド決済履歴を更新する（ＳＴＥＰ１０９）。
【００５７】
次に、精算場所用リーダライタ装置３０の表示部３２に料理名と料理の価格と合計額を表示し（ＳＴＥＰ１１０）、未精算料理データの未精算フラグを精算済みフラグに変え、精算済み料理データの記憶領域に移して書き込み（ＳＴＥＰ１１１）、精算場所用リーダライタ装置３０の表示部３２に精算処理が正常に行われたことを表示する（ＳＴＥＰ１１２）。そして、ＳＴＥＰ１０１に戻る。
【００５８】
ここで、図６のフローチャートには記載していないが、プリペイド残額が未精算の料理の価格の合計額より少ない場合は、不足額とともに精算を行わない旨を精算場所用リーダライタ装置３０の表示部３２に表示してＳＴＥＰ１０１に戻る。
【００５９】
ここで、ＰＯＳ端末２０または精算場所用リーダライタ装置３０の一方が担っていた機能の一部を他方の装置に担わせてもよく、例えば、各演算処理（精算のための演算処理や各判断のための演算処理等）や各種情報の表示や各種データの記憶をＰＯＳ端末２０または精算場所用リーダライタ装置３０のいずれに担わせてもよい。また、具体的な一例として、図６のＳＴＥＰ１０４、１０５、１０７では、ＰＯＳ端末２０の記憶部２６に、適正な会社コードと個人ＩＤとカードＩＤとを予め記憶させ、非接触ＩＣカード（社員証カードまたはプリペイドカード）のデータを読み取るたびに、精算場所用リーダライタ装置３０からＰＯＳ端末２０に問い合わせて各判定を行うようにしてもよい。
【００６０】
また、上記では、提供場所用リーダライタ装置１０の記憶部１６には、料理コードのみを記憶していたが、料理名と料理の価格も記憶しておき、社員証カードやプリペイドカードには、未精算料理データとして料理コードと料理名と料理の価格を書き込み、精算場所用リーダライタ装置３０で、ＰＯＳ端末２０に料理コードに対応する料理名と料理の価格を問い合わせることなく、精算処理を行うようにしてもよい。
【００６１】
また、提供場所用リーダライタ装置１０の記憶部１６に、料理コードを記憶させることなく、料理名と料理の価格（価格データ）を記憶させ、社員証カードやプリペイドカードには、未精算料理データとして料理名と料理の価格（価格データ）を書き込み、ＰＯＳ端末２０または精算場所用リーダライタ装置３０で、社員証カードやプリペイドカードから読み出した料理名と料理の価格（価格データ）を基に、料理の価格の合計額を算出して精算を行うようにしてもよい。
【００６２】
また、提供場所用リーダライタ装置１０に料理名と料理の価格も記憶しておく場合、提供場所用リーダライタ装置１０は、プリペイドカードのデータを読み取るごとに、提供場所用リーダライタ装置１０の判断部１７ａによって、未精算料理データの合計額を計算してプリペイドカードのプリペイド残額と比較し、プリペイド残額を超えた場合には、提供場所用リーダライタ装置１０の表示部１２に、残額を超えた金額とともにプリペイドカードにチャージが必要である旨を表示して通知するようにしてもよい。このようにすれば、精算場所における精算前に予めチャージしておくことができ、精算時に残額不足で精算処理が行えず、精算が滞ってしまうという事態を未然に防止することができる。
【００６３】
このようにして得られた本実施形態の精算システムでは、精算場所において、未精算データの読み取りと同時に、精算に必要とされる個人ＩＤまたはプリペイドデータを含む精算用データをまとめて読み取り、読み取った未精算データおよび精算用データに基づいて料理の精算を行うことが可能であるため、精算作業に係る作業効率を向上できる。
【００６４】
また、料理の未精算データを記憶させる記憶媒体として、未精算データの記憶以外の役割を併せて持たせることが容易な、利用者が所有する社員証カードやプリペイドカードを利用するため、未精算データを記憶する役割のみを担う記憶媒体を必要とせず、システム導入費用を低減できる。
【００６５】
また、料理の未精算データを記憶させる記憶媒体として、利用者が所有する社員証カードやプリペイドカードを利用することにより、精算に必要とされる個人ＩＤまたはプリペイドデータを含む精算用データを記憶媒体に記憶させておくことが可能になる。
【００６６】
つぎに、本発明の第２実施形態について、以下に説明する。
【００６７】
以下に説明する第２実施形態では、精算システムの設置場所が一般の商店やスーパーマーケットであり、取引対象が食材等の商品であり、利用者が所有する携帯物が非接触ＩＣカードであるプリペイドカードであるものとして説明する。
【００６８】
ここで、第２実施形態における精算システムの構成や提供場所用リーダライタ装置１０で行われる処理フローは、第１実施形態と同様であるため、その説明を省略する。
【００６９】
第２実施形態では、顧客は、商品を買物かごにいれるたびに、その商品の提供場所に設置されている提供場所用リーダライタ装置１０のＩＣリーダライタ部１１にプリペイドカードを翳してプリペイドカードのＩＣチップに未精算商品データ（未精算データ）を記憶させ、精算する際は、ＰＯＳ端末２０の担当者である店員に商品の入った買物かごを提出するとともに、精算場所用リーダライタ装置３０のＩＣリーダライタ部３１にプリペイドカードを載置する。店員が、買物かごに収納されていた購入する商品とＰＯＳ端末２０の店員用の表示部２２に表示された未精算商品データとが合致していることを確認し、ＰＯＳ端末２０の精算を指示して精算処理が終了するまで、プリペイドカードを載置しておく。
【００７０】
第２実施形態では、精算場所におけるＰＯＳ端末２０の処理フローに、第１実施形態との間で以下の違いがある。
【００７１】
第２実施形態では、未精算商品データをＰＯＳ端末２０に送信し、ＰＯＳ端末２０から商品コード（取引対象識別データ）に対応する商品名と商品の価格を取得して、商品の価格の合計額とともに、精算場所用リーダライタ装置３０の表示部３２に表示する。
【００７２】
その後、店員が、買物かごに収納されていた購入する商品とＰＯＳ端末２０の店員用の表示部２２に表示された未精算商品データとが合致していることを確認し、ＰＯＳ端末２０の精算を指示するキーを押下すると、プリペイド残額から、未精算の商品の合計額を引き去り、プリペイド残額を変更し、精算場所用リーダライタ装置３０の表示部３２に、精算処理が正常に行われたことを表示する。
【００７３】
なお、上述した実施形態では、取引対象の一例として、社員食堂で提供される料理や、スーパーマーケット等で販売される食材等の商品を例示した。しかしながら、本発明における取引対象は、商取引の対象となるものであれば如何なるものでもよく、例えば、商取引の対象となる各種商品に加えて、商取引の対象となるマッサージ等の役務（サービス）が挙げられる。
【００７４】
また、上述した実施形態では、利用者が所有する携帯物の一例として、個人ＩＤを記憶した社員証カードや、プリペイドデータを記憶したプリペイドカードを例示した。しかしながら、本発明における携帯物は、利用者が所有するものであって、利用者を特定する個人ＩＤまたは予め前払いしたプリペイドデータを記憶するとともに未精算データの読み書きが可能な記憶領域を備えるものであれば如何なるものでもよく、例えば、各種ＩＤカード（社員証カードや学生証カード等）、クレジットカード、デビットカード、携帯端末（携帯電話やスマートフォン等）が挙げられる。
【００７５】
また、利用者が所有する携帯物として、精算時に暗証番号を入力することが必要なもの、例えば、暗証番号を入力することが必要なクレジットカードやデビットカードを用いる場合、ＰＯＳ端末２０または精算場所用リーダライタ装置３０に、暗証番号を入力する手段と、カードのセンター装置にカードの正当性を問い合わせる手段を設け、精算処理のフローに、暗証番号を入力するステップと、それが正しいかどうかを判定するステップと、暗証番号が正しい場合に精算を行うステップと、暗証番号が正しくなかった場合に精算が行えない旨を表示するステップを加えればよい。
【符号の説明】
【００７６】
１０    ・・・  提供場所用リーダライタ装置（提供場所用装置）
１１    ・・・  ＩＣリーダライタ部（書き込み手段、読み取り手段）
１２    ・・・  表示部（表示手段）
１３    ・・・  時計部
１４    ・・・  電源部
１５    ・・・  ＬＡＮ接続部
１６    ・・・  記憶部
１７    ・・・  制御部
１７ａ  ・・・  判断部（判断手段）
２０    ・・・  ＰＯＳ端末（精算場所用装置）
２１    ・・・  入力部
２２    ・・・  表示部（表示手段）
２３    ・・・  時計部
２４    ・・・  電源部
２５    ・・・  ＬＡＮ接続部
２６    ・・・  記憶部
２７    ・・・  制御部
２７ａ  ・・・  精算部（精算手段）
２８    ・・・  接続部
３０    ・・・  精算場所用リーダライタ装置（精算場所用装置）
３１    ・・・  ＩＣリーダライタ部（書き込み手段、読み取り手段）
３２    ・・・  表示部（表示手段）
３３    ・・・  時計部
３４    ・・・  電源部
３５    ・・・  ＬＡＮ接続部
３６    ・・・  記憶部
３７    ・・・  制御部
３７ａ  ・・・  判断部（判断手段）
３７ｂ  ・・・  精算部（精算手段）
３８    ・・・  接続部
【図１】
0005637566.tif 000002
【図２】
0005637566.tif 000003
【図３】
0005637566.tif 000004
【図４】
0005637566.tif 000005
【図５】
0005637566.tif 000006
【図６】
0005637566.tif 000007